【手続補正書】
【提出日】平成27年7月31日(2015.7.31)
【手続補正１】
【補正対象書類名】特許請求の範囲
【補正対象項目名】全文
【補正方法】変更
【補正の内容】
【特許請求の範囲】
【請求項１】
ネットワークノードを含む通信ネットワークにおいて、トリガリングサーバとの接続を確立する、またはトリガリングサーバにデータを送信するように端末をトリガーする方法であって、前記方法が前記ネットワークノードにおいて実行され、
前記端末から前記サーバへの接続を確立できるか否かを評価するステップであって、前記ネットワークが輻輳しているか、前記端末においてバックオフタイマーが作動しているか、前記端末における前記バックオフタイマーの残り時間、のうちの少なくとも１つを判定するステップを含む、ステップと、
前記トリガリングサーバに通知するために配信遅延指示情報をデバイストリガリング制御サーバに送信するステップであって、前記配信遅延指示情報が、トリガー後に前記サーバとの接続を確立できないこと、またはデータ送信が遅延することのうちの少なくとも一方を示す、ステップと、
を含んでいる、前記方法。
【請求項２】
前記端末から前記サーバへの接続の確立またはデータの送信をトリガーするトリガー要求を前記端末に送信するステップ、
をさらに含んでいる、請求項１に記載の方法。
【請求項３】
少なくとも、前記端末のＩＤ、前記トリガリング要求を送ったデバイスのＩＤ、他のトランザクションＩＤのうちの１つまたは複数を含む、トリガー要求の状態、を格納するステップと、
配信遅延指示情報を生成して送信するステップであって、前記指示情報が、前記端末のＩＤ、もしくは、前記トリガリング要求メッセージを送った前記デバイスのＩＤ、またはその両方を含む、ステップと、
をさらに含んでいる、請求項１または請求項２に記載の方法。
【請求項４】
ネットワークノードを含む通信ネットワークにおいて端末をトリガーする方法であって、前記方法がトリガリングサーバにおいて実行され、
前記端末から前記サーバへの接続の確立またはデータの送信をトリガーするトリガー要求を前記通信ネットワークを通じて前記端末に送信するステップと、
トリガー後に接続を確立できないまたはデータを送信できないこと、または対応する遅延のうちの少なくとも一方を示す配信遅延インジケータを、前記ネットワークノードまたは前記端末から受信するステップと、
前記配信遅延インジケータを処理して、前記トリガー要求を後の時点で再送信するのか、または前記トリガー要求を高い優先度で再送信するのか、または同じネットワークについては別の端末への前記トリガー要求の送信を省くのかを判定するステップと、
を含んでいる、前記方法。
【請求項５】
ネットワークノードを含む通信ネットワークにおいてサーバによって端末をトリガーする方法であって、前記方法が前記端末において実行され、
前記端末から前記サーバへの接続の確立をトリガーするトリガー要求を受信するステップであって、前記トリガー要求が前記サーバによって前記通信ネットワークを通じて前記端末に送られる、ステップと、
前記接続を確立できるか否かを評価するステップであって、前記ネットワークが輻輳しているか、もしくは、送信されるデータの準備ができているか、またはその両方を判定するステップを含んでいる、ステップと、
評価の結果によると輻輳状況に起因してトリガー後に前記サーバとの接続を確立できないこと、またはデータ送信が遅延することのうちの少なくとも一方を示す配信遅延インジケータを、前記サーバに送信するステップと、
を含んでいる、前記方法。
【請求項６】
前記送信するステップが、制御プレーンを通じて実行される、
請求項５に記載の方法。
【請求項７】
前記ネットワークノードから輻輳インジケータを受信するステップであって、前記輻輳インジケータが、
前記端末に前記ネットワークとのユーザプレーン接続をただちに確立させるコマンド、または、
前記ネットワークが同じデバイストリガー要求を前記端末に配信することを試行する時間長を示すデバイストリガー有効時間、
の少なくとも一方を含む、ステップ、
をさらに含んでいる、請求項５または請求項６に記載の方法。
【請求項８】
前記トリガー要求が受信された後、データの有効時間を、前記ネットワークを通じて前記サーバに送信されるデータを収集するのに必要な時間期間として、または、前記ネットワークが同じデバイストリガー要求を前記端末に配信することを試みる時間長を示すデバイストリガー有効時間として、求めるステップと、
前記端末においてバックオフタイマーが作動しており、前記データの有効時間が残りのバックオフ時間よりも小さい場合、前記データが期限切れとなること、もしくは、前記トリガー要求に応えてデータが送られないこと、またはその両方を示す配信遅延指示情報を前記サーバに示すステップと、
をさらに含んでいる、請求項５から請求項７のいずれかに記載の方法。
【請求項９】
前記評価するステップが、前記端末から前記サーバに前記データを送信するかを決定する、もしくは、前記端末から前記サーバへの前記データの送信の遅延を求める、またはその両方を目的として、前記端末側において作動しているバックオフタイマーを評価するステップと、前記端末によって送信される前記データの有効期間を評価するステップ、のうちの少なくとも一方を含んでいる、
請求項１から請求項８のいずれかに記載の方法。
【請求項１０】
サービングネットワークノードを含む通信ネットワークにおいてサーバによって端末をトリガーする方法であって、前記方法が前記サービングネットワークノードにおいて実行され、
前記端末のデバイストリガリング能力に関する情報を、前記端末、前記サーバ、または別のネットワークノードから受信されるメッセージから求めるステップと、
前記端末から前記サーバへの接続の確立をトリガーするトリガー要求を受信するステップであって、前記トリガー要求が前記サーバによって前記通信ネットワークを通じて前記端末に送られる、ステップと、
前記トリガー要求を前記端末に送信するか否かを、前記端末のデバイストリガリング能力に関する前記情報に基づき、かつ、現在の輻輳状態に基づいて、判断するステップと、
前記判断するステップの結果に従って、前記トリガー要求を前記端末に送信する、または送信しないステップと、
を含んでいる、前記方法。
【請求項１１】
前記端末のデバイストリガリング能力に関する前記情報が、
前記端末が位置している無線アクセスネットワークの無線リソース制御プロトコルによって示される、前記端末の優先度またはサービス品質、
メッセージが事前定義されたインタフェースまたは事前定義されたネットワークエンティティを通じて受信されるかどうか、
加入者サーバから受信されるメッセージから求められる能力、
前記メッセージから求められるポート番号であって、所定のポート番号がデバイストリガリングに使用される、前記ポート番号、
前記トリガー要求を伝える前記メッセージのヘッダから求められるプロトコル識別子であって、ペイロードのコンテンツタイプを示す、前記プロトコル識別子、
前記端末から受信されるメッセージから求められる端末のデバイストリガリング能力またはステータス、
前記トリガー要求メッセージのヘッダから判定される、前記メッセージがデバイストリガリングメッセージであるかどうか、
のうちの少なくとも１つである、請求項１０に記載の方法。
【請求項１２】
前記端末が前記トリガー要求メッセージを受信したときに接続を確立しうる外部ネットワークを求めるステップと、
求められた前記端末の前記外部ネットワークを前記サービングネットワークノードに格納するステップと、
前記外部ネットワークが輻輳状態にあるか否かを、現在の輻輳状態に従って判定するステップと、
をさらに含んでいる、請求項１０または請求項１１に記載の方法。
【請求項１３】
前記端末がトリガーされたときに接続を確立する外部ネットワークが、
前記端末が加入している前記外部ネットワークを、加入者サーバから受信されるメッセージから求めるステップ、
前記端末がトリガーされた後に接続を確立しうる外部ネットワークを、前記加入者サーバから受信されるメッセージから求めるステップ、
前記端末がトリガーされた後に接続を確立しうる外部ネットワークを、前記端末から受信されるメッセージから求めるステップ、
前記サービングネットワークノードが、前記端末のために確立されたベアラコンテキストを有するかと、前記ベアラコンテキストが、輻輳したネットワークへのベアラのコンテキストかを判定するステップと、輻輳したネットワークに許可されるベアラの最大数、もしくは、輻輳した外部ネットワークに許可される接続タイプ、またはその両方を求めるステップ、のうちの少なくとも一方のステップ、
前記端末が接続を確立しうる外部ネットワークを、前記端末のトリガリングを開始した前記サーバの識別情報に基づいて求めるステップ、
のうちの少なくとも１つによって求められる、請求項１２に記載の方法。
【請求項１４】
前記デバイストリガー要求の配信に関する報告と、サーバが前記端末にトリガー要求を送信または再送信するべきではない時間期間とを含むメッセージ、をサーバに送信するステップ、
をさらに含んでいる、請求項１２または請求項１３に記載の方法。
【請求項１５】
前記デバイストリガー要求を前記端末に送信することを決定するとき、
輻輳した外部ネットワークもしくはバックオフタイマーまたはその両方を示す情報を前記端末に送信するステップ、
輻輳した外部ネットワークもしくはバックオフタイマーまたはその両方を示す前記情報を前記端末に送信するとき、前記サービングネットワークノードにおいてタイマーをセットするステップであって、前記タイマーの期間中は、前記サービングネットワークエンティティが前記端末からのデバイストリガー応答に関する配信報告を送信しない、ステップ、
前記端末が外部ネットワークとのデータ接続を確立できないことおよび前記外部ネットワークの識別情報と、残りのバックオフタイマーと、送信できなかったデバイストリガー応答の識別情報、のうちの少なくとも１つを示す情報を、前記端末から受信するステップ、
のうちの少なくとも１つのステップをさらに含んでいる、請求項１２から請求項１４のいずれかに記載の方法。
【請求項１６】
サービングネットワークノードを含む通信ネットワークにおいてサーバによって端末をトリガーする方法であって、前記方法が前記端末において実行され、
デバイストリガリングに関連する端末の能力を求めるステップと、
前記求められた端末の能力を含む情報をサービングネットワークノードに送信するステップと、
を含んでいる、前記方法。
【請求項１７】
輻輳した外部ネットワークを示す情報を前記サービングネットワークノードから受信するステップと、
前記受信された情報を格納するステップと、
非アクセス層シグナリングまたはデータを前記外部ネットワークに送信するか否かを、前記格納された情報に基づいて判断するステップと、
をさらに含んでいる、請求項１６に記載の方法。